(57)【要約】      （修正有）【課題】子供や老人などの非力な人でも容易にキャップを開けることができるボトルのねじ式キャップを提供する。【解決手段】飲料用の内容物を収容する合成樹脂製ボトル１０の口部１１に螺着されるねじ式キャップである。キャップ本体１が切離し部３を介して固定リング部２と一体に成形される。固定リング部２がボトル１０の口部１１に固定的に嵌め込まれ、キャップ本体１の内側に設けためねじ部４が口部１１のおねじ部１２に螺合する。キャップ本体１を開方向に捻り切離し部３を破断させて口部１１を開放する。キャップ本体１の平面形状が略楕円形に形成され、楕円形の長軸の長さが固定リング部２の直径より大きく形成されている。【選択図】図４
0003109099.tif 000002
【実用新案登録請求の範囲】
【請求項１】
飲料用の内容物を収容する合成樹脂製ボトルの口部に螺着されるねじ式キャップであって、
キャップ本体が切離し部を介して固定リング部と一体に成形され、該固定リング部が該ボトルの口部に固定的に嵌め込まれ、キャップ本体の内側に設けためねじ部が口部のおねじ部に螺合し、キャップ本体を開方向に捻り該切離し部を破断させて口部を開放するボトルのねじ式キャップにおいて、
該キャップ本体の平面形状が略楕円形に形成され、楕円形の長軸の長さが固定リング部の直径より大きく形成されていることを特徴とするボトルのねじ式キャップ。
【考案の詳細な説明】
【技術分野】
【０００１】
本考案は、飲料用の内容物を収容する合成樹脂製ボトルの口部に螺着されるねじ式キャップに関し、特にキャップの開操作を容易に行なうことができるボトルのねじ式キャップに関する。
【背景技術】
【０００２】
従来、お茶、ジュース、清涼飲料水などの容器として、合成樹脂製のボトルが、広く普及しており、下記特許文献１などにおいて各種の構造のものが提案されている。この種の清涼飲料水などの容器として使用される合成樹脂製ボトルには、その口部に通常、ねじ式キャップが設けられており、開閉が可能な構造となっている。
【０００３】
また、ねじ式キャップの故に、内容物をボトリングした後、使用者が購入するまでの間、未開封状態を確認するために、キャップ本体の下部には、切離し部を介して固定リング部が設けられ、製造時に、この固定リング部がボトルの口部にはめ込まれて固定され、使用者がキャップ本体を捻って開ける際、切離し部が破断されて開封されるようになっている。
【特許文献１】特開２００３-２９２０１７号公報
【考案の開示】
【考案が解決しようとする課題】
【０００４】
しかし、この種のねじ式キャップは、そのキャップ本体が、切離し部を介して固定リング部と一体成形されており、キャップを捻って開ける際、その捻り操作力によって、ねじの締め付けを解除することに加え、切離し部を破断させる必要がある。このため、キャップを開けるためには、ねじの締め付け力に切離し部の破断力を加えた力以上の操作力で、キャップを回す必要があり、子供や老人などの非力な人がこの種のねじ式キャップを開けようとしても、容易に開けることができないという課題があった。
【０００５】
本考案は、上述の課題を解決するものであり、子供や老人などの非力な人でも容易にキャップを開けることができるボトルのねじ式キャップを提供することを目的とする。
【課題を解決するための手段】
【０００６】
上記目的を達成するために、本考案のねじ式キャップは、飲料用の内容物を収容する合成樹脂製ボトルの口部に螺着されるねじ式キャップであって、キャップ本体が切離し部を介して固定リング部と一体に成形され、該固定リング部がボトルの口部に固定的に嵌め込まれ、キャップ本体の内側に設けためねじ部が口部のおねじ部に螺合し、キャップ本体を開方向に捻り該切離し部を破断させて口部を開放するボトルのねじ式キャップにおいて、該キャップ本体の平面形状が略楕円形に形成され、楕円形の長軸の長さが固定リング部の直径より大きく形成されていることを特徴とする。
【考案の効果】
【０００７】
上記構成のねじ式キャップは、お茶、ジュース、清涼飲料水などのボトルのキャップとして使用され、内容物をボトリングする際、キャップ本体をボトルの口部にねじ込むと共に、切離し部を介してキャップ本体に一体成形された固定リング部を、その口部に固定的に嵌め込み、ボトルの口部が封止される。
【０００８】
ボトルの口部を開ける際には、キャップ本体を握って左に回す。この際、従来の円形のキャップ本体では、握った手がキャップ本体との間で滑ってしまい、握力の少ない子供などではキャップを開けることが難しいが、その平面形状が略楕円形の形成されている本キャップでは、キャップ本体を握って回したとき、手が滑りにくく、使用者の手による開方向への力がキャップ本体に容易に伝わる。このため、子供や老人などの非力な人でも、キャップのねじの締め付け力と切離し部の破断力以上の操作力（回動力）を、キャップ本体に加えることができ、これにより、切離し部が破断され、非力な人でも容易にキャップを開けることができる。
【考案を実施するための最良の形態】
【０００９】
以下、本考案の一実施形態を図面に基づいて説明する。図１はねじ式キャップの平面図を示し、図２はその正面図を示し、図３はその底面図を示し、図４、図５は、ボトル１０に使用した状態の部分断面図を示している。このねじ式キャップは、例えば合成樹脂製のボトル１０の口部（ネック部）１１にねじ込まれ且つ嵌め込まれて使用される。
【００１０】
ボトル１０の口部１１にはおねじ部１２が形成され、そのおめじ部１２の下にリング状突条１３が固定リング部２を嵌め込むために設けられる。さらに、リング状突条１３の下側に鍔部１４が突設されている。ボトル１０としては、例えば、ＰＥＴなどの合成樹脂製で、お茶、ジュース、清涼飲料水などの液体内容物を収容する容器となり、その口部１１がキャップにより封止されるものである。
【００１１】
ねじ式キャップのキャップ本体１は、その平面形状が略楕円形に形成され、楕円形の中央内側に、口部１１が進入するための円形凹部が形成され、その内周面にめねじ部４が形成されている。また、この楕円形のキャップ本体１は、握った際、容易に捻り力（操作力）が加わるように、その楕円の長軸が、後述の固定リング部２の直径より大きく形成されている。キャップ本体１に下部には、円環状の固定リング部２が、切離し部３を介して一体に成形されている。切離し部３は、キャップ本体１を開方向に捻った際、破断可能に細く薄く形成される。
【００１２】
下部の固定リング部２は、ボトル１０の口部１１における鍔部１４とリング状突条１３との間に固定的に嵌め込まれる構造であり、固定リング部２の内側には、図３に示すように、多数の係止片２ａが内側円周に沿って分割されて弾性変形可能に突設されている。この固定リング部２の内側の係止片２ａは、キャップがボトリング時にボトル１０に嵌め込まれる際、弾性変形してリング状突条１３を乗り越え、鍔部１４との間に嵌入する構造である。
【００１３】
このようなボトルは、お茶、ジュース、清涼飲料水などの飲み物のボトリングの際に使用され、ボトリングの際には、内容物をボトル１０内に充填した状態で、図１〜図３のようにキャップ本体１と固定リング部２が一体成形されたものが、ボトル１０の口部１１にねじ込み圧入される。この際、固定リング部２は口部１１のリング状突条１３を乗り越えて鍔部１４との間に進入し、キャップ本体１のめねじ部４は口部１１のおねじ部１２と螺合し、ボトル１０の口部１１がキャップにより封止される。
【００１４】
ボトル１０の口部１１を開ける際には、キャップ本体１を握って左に回す。この際、従来の円形のキャップ本体では、握った手がキャップ本体との間で滑ってしまい、握力の少ない子供などではキャップを開けることが難しい。しかし、平面形状が略楕円形の形成されているこのキャップでは、キャップ本体１を握って回したとき、充分に大きいモーメントが楕円の長軸部分にかかる。このモーメントは、従来の固定リング部と同様な直径をもつキャップ本体のモーメントより、楕円の長軸の長さが長い分だけ増大する。さらに、このキャップ本体１を握った際、その平面形状が楕円形のため、円形のキャップに比べて手が滑りにくく、使用者の手による開方向への力がキャップ本体１に容易に伝わる。
【００１５】
したがって、子供や老人などの非力な人でも、キャップのねじの締め付け力と切離し部３の破断力以上の操作力（回動力）を、キャップ本体１に加えることができ、これにより、切離し部３が破断され、非力な人でも容易にキャップを開けることができる。また、平面を楕円としたキャップ本体１は、デザイン的にも優れたものとなり、ボトルにマッチした良好なデザインのキャップとして違和感なく使用することができる。
【００１６】
なお、キャップ本体１の外周部は円滑面であってもよいが、なし地やローレットなどの滑りとめを施すようにしてもよい。
【図面の簡単な説明】
【００１７】
【図１】本発明の一実施形態を示すねじ式キャップの平面図である。
【図２】同ねじ式キャップの正面図である。
【図３】同ねじ式キャップの底面図である。
【図４】キャップの使用状態を示す部分断面図である。
【図５】キャップを開いた状態の部分断面図である。
【符号の説明】
【００１８】
１−キャップ本体
２−固定リング部
３−切離し部
４−めねじ部
１０−ボトル
１１−口部
１２−おねじ部
【図１】
0003109099.tif 000003
【図２】
0003109099.tif 000004
【図３】
0003109099.tif 000005
【図４】
0003109099.tif 000006
【図５】
0003109099.tif 000007